(57)【要約】【課題】【解決手段】    目立つ画像要素を持つグラフィカルユーザインターフェース表示を提供するためのシステム及び方法を記述する。１つの例において、特定の画像要素がまず特定される。そして、予め決定されたルールは、表示可能な画像における第１のウィンドウにおける特定の画像要素が、その第１のウィンドウにおける他の画像要素にはないユニークなユーザに見える表示属性を持っていることを確実にするように適用される。予め決定されたルールは、また、そのユニークな表示属性が、その表示される画像において表示される現在の他の如何なるウィンドウにおける他の画像要素にはないことを確実にするように適用される。そして、その特定の画像要素は、ユーザ選択に対して応答可能となるようにされる。
2005520228.tif 000002
【特許請求の範囲】
【請求項１】
目立つ画像要素をグラフィカルユーザインターフェース表示に提供する方法であって、
特定の画像要素を特定するステップと、
表示可能な画像における第１のウィンドウにおける前記特定の画像要素が、前記第１のウィンドウにおける他の画像要素にはなく、かつ、前記表示された画像における現在表示されている他の如何なるウィンドウにおける他の画像要素にない、ユニークなユーザに見える表示属性を持っていることを確実にするように予め決定されたルールを適用するステップと、
ユーザの選択に応答するように前記特定の画像要素の機能を有効化するステップとを含む方法。
【請求項２】
前記ユニークなユーザに見える表示属性は、（ａ）特定の画像要素カラー、（ｂ）特定の画像要素形状、（ｃ）特定の画像要素ハイライトタイプ、（ｄ）特定の画像要素のフォアグランド又はバックグランド、（ｅ）特定の画像要素シェーディング、（ｆ）特定の画像要素縁取り、そして、（ｇ）特定の画像要素塗りつぶし模様のうちの少なくとも１つを含む、
請求項１記載の方法。
【請求項３】
前記特定の画像要素は、（ａ）アイコン、（ｂ）ユーザプロンプト、（ｃ）テキスト、（ｄ）記号、（ｅ）グラフィック要素、及び（ｆ）ユーザ選択可能な画像特徴のうちの少なくとも１つを含む、
請求項２記載の方法。
【請求項４】
前記予め決定されたルールが、
前記ユニークなユーザに見える表示属性を持つ他の画像要素を特定するために、前記特定の画像要素以外である、他の画像要素のデータの代表を吟味するステップと、
前記特定された他の画像要素のデータの代表において、前記ユニークなユーザに見える表示属性を表すデータの代わりに、異なる属性を表すデータを用いるステップとを含む、
請求項１記載の方法。
【請求項５】
異なるアプリケーションから受領する表示可能な画像のデータの代表において他の画像要素のデータの代表を吟味するステップを含む、
請求項４記載の方法。
【請求項６】
前記予め決定されたルールは、前記特定の画像要素が表示された画像における前記ユニークなユーザに見える表示属性を持つような唯一の画像要素であることを確実にするために、表示できる画像要素の基準拘束画像要素属性を含むものである、
請求項１記載の方法。
【請求項７】
目立つ画像要素をグラフィカルユーザインターフェース表示に提供する方法であって、
特定の画像要素を特定するステップと、
前記特定の画像要素の表示属性が画像領域においてユニークであるかを決定する予め決定されたルールを適用するステップと、
もし、その特定の画像要素の前記表示属性が前記画像領域でユニークでないならば、その特定の画像要素のものと同じ属性を持つ前記画像領域における別の画像要素の関連付けられた表示属性を変更するステップとを含む、方法。
【請求項８】
ユーザの選択に応答するように前記特定の画像要素の機能を有効化するステップを更に含む、
請求項７記載の方法。
【請求項９】
前記画像領域がウィンドウを含むものである、請求項７記載の方法。
【請求項１０】
前記画像領域が表示画面を含むものである、請求項７記載の方法。
【請求項１１】
前記表示属性は、（ａ）特定の画像要素カラー、（ｂ）特定の画像要素形状、（ｃ）特定の画像要素ハイライトタイプ、（ｄ）特定の画像要素のフォアグランド又はバックグランド、（ｅ）特定の画像要素シェーディング、（ｆ）特定の画像要素縁取り、そして、（ｇ）特定の画像要素塗りつぶし模様のうちの少なくとも１つを含む、
請求項７記載の方法。
【請求項１２】
前記特定の画像要素は、（ａ）アイコン、（ｂ）ユーザプロンプト、（ｃ）テキスト、（ｄ）記号、（ｅ）グラフィック要素、及び（ｆ）ユーザ選択可能な画像特徴のうちの少なくとも１つを含む、
請求項７記載の方法。
【請求項１３】
目立つ画像要素をグラフィカルユーザインターフェース表示に提供する方法であって、
特定の画像要素を特定するステップと、
前記特定の画像要素の表示属性が画像領域においてユニークであるかを決定する予め決定されたルールを適用するステップと、
もし、その特定の画像要素の前記表示属性が前記画像領域でユニークでないならば、その特定の画像要素の前記表示属性をその画像領域においてユニークな表示属性に変更するステップとを含む、方法。
【請求項１４】
前記変更するステップが、
前記表示領域における他の画像要素の他の表示属性と比べるために、選択された属性のリストから１つの属性を、予め決定された方法で、選ぶことにより、前記ユニークな表示属性を決定するステップを更に含む、
請求項１３記載の方法。
【請求項１５】
ユーザの選択に応答するように前記特定の画像要素の機能を有効化するステップを更に含む、
請求項１３記載の方法。
【請求項１６】
前記画像領域がウィンドウを含むものである、請求項１３記載の方法。
【請求項１７】
前記画像領域が表示画面を含むものである、請求項１３記載の方法。
【請求項１８】
前記表示属性は、（ａ）特定の画像要素カラー、（ｂ）特定の画像要素形状、（ｃ）特定の画像要素ハイライトタイプ、（ｄ）特定の画像要素のフォアグランド又はバックグランド、（ｅ）特定の画像要素シェーディング、（ｆ）特定の画像要素縁取り、そして、（ｇ）特定の画像要素塗りつぶし模様のうちの少なくとも１つを含む、
請求項１３記載の方法。
【請求項１９】
前記特定の画像要素は、（ａ）アイコン、（ｂ）ユーザプロンプト、（ｃ）テキスト、（ｄ）記号、（ｅ）グラフィック要素、及び（ｆ）ユーザ選択可能な画像特徴のうちの少なくとも１つを含む、
請求項１３記載の方法。
【請求項２０】
目立つ画像要素をグラフィカルユーザインターフェース表示に提供するシステムであって、
特定の画像要素をハイライトするために作動するユーザインターフェース装置と、
表示可能な画像における第１のウィンドウにおける前記特定の画像要素が、前記第１のウィンドウにおける他の画像要素にはなく、かつ、前記表示可能な画像における現在表示されている他の如何なるウィンドウにおける他の画像要素にもない、ユニークなユーザに見える表示属性を持ち、前記特定の画像要素はユーザの選択に応答するように機能が有効化されていることを確実にするように予め決定されたルールを適用するように作動するプロセッサとを含む、システム。
【請求項２１】
前記ユニークなユーザに見える表示属性は、（ａ）特定の画像要素サイズ、（ｂ）特定の画像要素配向、特定の画像要素ブライトネス、（ｃ）特定の画像要素経時変化、（ｄ）特定の画像要素のグループ化、そして、（ｅ）特定の画像要素フォントのうちの少なくとも１つを含む、
請求項１記載の方法。
【請求項２２】
前記表示属性は、（ａ）特定の画像要素サイズ、（ｂ）特定の画像要素配向、特定の画像要素ブライトネス、（ｃ）特定の画像要素経時変化、（ｄ）特定の画像要素のグループ化、そして、（ｅ）特定の画像要素フォントのうちの少なくとも１つを含む、
請求項７記載の方法。
【請求項２３】
前記表示属性は、（ａ）特定の画像要素サイズ、（ｂ）特定の画像要素配向、特定の画像要素ブライトネス、（ｃ）特定の画像要素経時変化、（ｄ）特定の画像要素のグループ化、そして、（ｅ）特定の画像要素フォントのうちの少なくとも１つを含む、
請求項１３記載の方法。
【発明の詳細な説明】
【技術分野】
【０００１】
本出願は、２００２年２月４日にＧ．エーデルマンにより出願された米国プロビジョナル出願で米国シリアル番号６０／３５４，１３７の利益を主張する。
【０００２】
本出願は、一般にコンピュータグラフィック表示に関し、より詳しくは、見る人が要素を素早く認識できるように要素を表示するシステム及び方法に関する。
【背景技術】
【０００３】
埋め込み型若しくは占有型コンピュータシステム（例えば、医療用の患者−モニタインターフェース）、又は、非埋め込み型若しくは非占有型システム（例えば、ウィンドウズブラウザ）は、しばしば、ユーザインターフェース合焦要素を持っている。図１は、例えば、よく知られるマイクロソフトウィンドウズ（登録商標）オペレーティングシステムのものに似たユーザインターフェースグラフィカル表示１００を示す。表示１００は、「表示」コマンドポップダウンリスト１０１にある「小さなアイコン」１０２コマンド選択のような現在合焦しているアイコンを持っていることを示している。ユーザが、カーソル１３０をリスト１０１において上下に動かすにつれ、カーソル１３０によって示されるリスト１０１における項目が強調表示（ハイライト）されるであろう。その要素の機能が有効化されて作動可能になっていることを示すために、例えば、現在合焦のアイコン１０２は、典型的にハイライトされ、又は、例えば、テキストを反転表示させること、異なる色を変化させること、又は、縁取りボックスを追加すること等によって、その属性を変化させ、何らかの方法で目立たせられる。
【０００４】
図１の例において、アイコン１０２のハイライトは、図１の白黒表示において暗くされたバックグランド陰影によって表されるが、例えば、異なるバックグランド色を有するように示されている。そして、強調表示されたアイコン１０２は、更なるユーザの確認入力（例えば、マウスクリック又はエンターキーを押すことによって）によって作動される。
【０００５】
加えて、ワールドワイドウェッブ上を検索するときに、サーチエンジンサイトは、サーチ単語とマッチする発見したホームページを表示するときに、ユーザがサーチをするために入力した単語を自動的にハイライトするであろう。このことにより、ユーザは、ホームページにおける興味のある部分をよりよく位置付けられるように、発見されたホームページにおいて容易にスクロールできるであろう。
【発明の開示】
【発明が解決しようとする課題】
【０００６】
本発明者は、図１に示すような要素１０２のようにハイライトされた又は機能が有効化された要素がユーザに対して常に明白とは限らないことを認識している。現在機能が有効化されたアイコンをハイライトする方法が表示画面における他の全ての要素に対してユニークでないときに、このことは、特にそのことがあてはまる。即ち、要素をハイライトするために用いられる表示属性が、同じウィンドウ又はディスプレイにおいて別の要素によって既に使用されているかもしれない。
【課題を解決するための手段】
【０００７】
この問題は、例えば図１に示すように、複数のアプリケーションが同じディスプレイの種々のウィンドウに開かれ、表示される今日のコンピュータ環境において更に悪化している。要素が前のアプリケーション及び／又はウィンドウにおいて、又は前のユーザによってハイライトされていたならば、この問題はまた生じる。どんなケースにおいても、機能が有効化された要素を見つけることは、かなりの努力を要し、全画面を系統的に視覚的に走査することを含むであろう。
【０００８】
本発明者はまた、その表現における際立ってユニークな要素との視覚的な表現が、見る人により素早く認識され得ることを認識している。トライスマンと他者（例えば、Preattentive Processing in Vision, Computer Vision, Graphics, and
Image Processing 31, 156-177 by A. Triesman及びGuided Search 2.0 : A Revised
Model of Visual Search, Psychonomic Bulletin & Review 1,2, 202-238 by J. M.
Wolfe参照）によってなされた視覚サーチに関するリサーチは、１つのユニークな要素を探してサーチされるとき、見る人が、並行して全画像を処理し得ることを示唆している。もし同じ視覚タイプの１つの他の要素があるとき、サーチ時間が、格段に長くなることをも見出している。しかしながら、これらの原理をここに特定される問題に実際に適用させたリサーチはない。
【０００９】
それ故に、例えば、ウィンドウ又は全表示画面において、機能が有効化された又は合焦された項目のユニークな外観を実行するソルーションを持つことは望ましいことであると、本発明者は認識する。１つの典型的な実施例において、システム及び方法が、目立つ画像要素を持つグラフィカルユーザインターフェース表示を提供するために記述される。
特定の画像要素が最初に特定される。そして、予め決定されたルールは、表示できる画像における第１のウィンドウにおける特定の画像要素がその第１のウィンドウにおける他の画像要素にはないユニークなユーザ表示属性を持っていることを確実にするように適用される。予め決定されたルールは、また、そのユニークな表示属性が、その表示される画像において表示される現在の他の如何なるウィンドウにおける他の画像要素にはないことを確実にするように適用される。そして、その特定の画像要素は、ユーザ選択に対して応答可能となるように機能が有効化される。
【００１０】
本発明の別の面によれば、表示画面を提供する別の典型的なシステム及び方法がまた記述される。特定の画像要素が特定される。予め決定されたルールは、その特定の画像要素の表示属性が画像領域においてユニークであるかどうかを決定するために適用される。もし、その特定の画像要素の表示属性がその画像領域においてユニークでないと決定されたならば、その同じ領域におけるその特定の画像要素のものと同じ属性を有するであろう他の画像要素の表示属性は、変えられる。
【００１１】
更に別の実施例において、その同じ領域における選択された画像要素のものと同じ属性を有すると分かった他の画像要素の表示属性は、変えられないであろう。しかし、その選択された画像要素そのものの属性は、自身がユニークになるために変えられる。どの場合においても、本発明は、画面におけるユーザの認識時間が有利に減少されるように特定された画像要素を目立つように表示する。
【発明を実施するための最良の形態】
【００１２】
図１は、既知のコンピュータ−ユーザインターフェース１００を図解している。特に、選択可能なアイコン１０２は、例えば、カラーバックグランドを追加すること等によって何かのやり方でその表示属性を変化させることにより目立たされている（図１で暗くされたバックグランドとして示されている）。しかし、残念ながら、この属性は表示画面１００全体においてユニークではないことが図１にまた示されている。特に、同じウィンドウ１１１のバックグランドにおける要素１０３はまた、要素１１２のものと同じ表示属性を有している。加えて、図１において、ウィンドウ１１２における要素１０４及び１０８、ウィンドウ１１３における要を１０５、ウィンドウ１１４における要素１０６、そして同じ表示画面１００上の要素１０７は、また、現在合焦されているアイコン１０２と同じ表示属性を共有する。画面１００上で同じ表示属性を持つ幾つかの要素があるので、どのアイコンが主に最近機能の有効化がなされ、次に作動可能なものであるかをユーザが認識するための時間が追加される。
【００１３】
図２は、本発明の原理による第１の典型的なグラフィカル表示画面２００を示している。グラフィカル表示画面２００はまた、図１に示される表示画面１００に類似する複数のウィンドウ２１１から２１４を有している。グラフィカル表示２００は、図４に示すように、本発明の原理に従って典型的なプロセスにより処理され表示される。
【００１４】
図４のステップ４０３において、例えば、図２のウィンドウ２１１におけるアイコン２０２のように、特定の画像要素がまず特定される。画像要素は、例えば、アイコン、ユーザプロンプト、１又はそれ以上のテキスト文字、１又はそれ以上の記号、グラフィック要素、及び／又はウィンドウバックグランドカラー選択等のようなユーザ選択可能な画像特徴を含んでよいが、これらに限定されるものではない。
【００１５】
画像要素は、ステップ４０３において処理されるように特定されてよい。なぜならば、例えば、それは、カーソル２３０によって合焦されてきたコマンドアイコンであり、図２の「小さなアイコン」２０２に対するように、ユーザによる更なるアクションに対して機能が有効化されているからである。画像要素はまた、ステップ４０３において処理されるべく特定されてよい。なぜならば、ユーザは、ワードプロセッサのようなアプリケーションにおいて、それを意図的にハイライトしたからである。例えば、図２のワードプロセッサアプリケーションウィンドウ２１３における要素２０５は、このタイプの画像要素を図解している。
【００１６】
図４のステップ４０５において、本発明の原理に従ってユーザがこの典型的な特徴を以前に選択してきたかどうかについて決定をする。もし、この特徴が選択されてきていなかったのなら、システムは、次に、ステップ４０６において従来状況における特定された画像要素を処理し表示する。即ち、特定された画像要素は、この表示画面上で他の要素の表示属性に関係なく、それをハイライトする表示属性によって表示されるであろう。従来の結果は、図１の画面１００に示されるものと同じであろう。
【００１７】
他方では、もし典型的な特徴が選択されてきたならば、その特定された要素が表示属性によって表示される前に、更なる処理は、されるであろう。本発明による表示属性は、例えば、特定の画像要素カラー、特定の画像要素形状、特定の画像要素ハイライトタイプ、特定の画像要素のフォアグランド（前景）又はバックグランド、特定の画像要素シェーディング、特定の画像要素縁取り、特定の画像要素塗りつぶし模様、特定の画像要素サイズ（例えば、長さ、幅、及び／又は高さ）、特定の画像要素配向、特定の画像要素ブライトネス、特定の画像要素経時変化（例えば、点滅、動き、動き方向）、特定の画像要素のグループ化、そして、特定の画像要素フォントであってよいが、これらに限定されるものではない。
【００１８】
図４のステップ４０７において続いて、ユーザに対して目立つようにするための表示属性を持つ特定の画像要素が、関連するウィンドウ又はアプリケーションにおけるユニークな表示属性を持つかどうかについて決定がされる。ステップ４０９において、もしその選択されたウィンドウにおける他の要素がその特定された画像要素と同じ表示属性を持っていると決定されたならば、その特定された画像要素を目立たせるために典型的な別の選択の１つが用いられてよい。
【００１９】
ステップ４０９において示される第１の典型的な別の選択において、その特定された要素と同じ属性を持つと分かった同じウィンドウ内の他の要素の表示属性は、別の予め選択された属性に変えられる。即ち、特定された要素（例えば、アイコン２０２）は、以前のように同じ表示属性で表示されるであろう。しかし、別の新しい表示属性は、その特定された画像要素のものと同じ属性をもつであろうその同じウィンドウにおけるどの要素にも割り当てられる。このことは、図２のウィンドウ２１１において図解される。図２の「小さなアイコン」要素２０２は、なお、図１において示されるように以前と同じ表示属性を有するように、図解されている（即ち、同じ暗くされたバックグランドを持つことにより示されている）。しかしながら、同じウィンドウ２１１における要素２０３は、その暗くされていない、ホワイトバックグランドによって示されるように、別の表示属性に変えられた。本発明の一面に従って、このことは、図２のウィンドウ２１１におけるユニークな属性で、特定された要素２０２が表示されることを許す。
【００２０】
ステップ４０９における本発明の別の選択によれば、特定された要素をユニークなものにしないかもしれないが、同じ表示領域における他の要素に対する表示属性の置き換えを一時停止する。これは、本発明者が、幾つかの表示属性は、表示画像を正確に実現するためには重要であろうことを認識しているからである。例えば、他の要素が非常に詳細なメガピクセルな画像の部分であるならば、このことが当てはまるであろう。
【００２１】
画面上で要素を強調するための表示属性を変える多くの方法があるため、本発明の別の面は、もし最初の選択がユニークでなければ、その特定された画像要素そのものに対する別の表示属性をシステムが選択するのを許可するものであることを、本発明者は認識している。従って、図４のステップ４０９において示されるもう１つの典型的な別の選択において、その特定された要素そのものに対する新しい表示属性は、その他の要素に対する変更を避けられるように、それが表示される前に、選択的に選ばれるであろう。
【００２２】
例えば、その特定された画像要素に対する表示属性は、ユニークなものが見つかるまで、可能な表示属性のリストから選択的に選ばれるであろう。このことは、その他の要素の表示属性を必ずしも変化させる必要なく、特に特定された画像要素の新しい表示属性を表示できることを確実にするであろう。この別の選択の工程は、本発明の図３において図解される。図３には、「小さなアイコン」３０２の表示属性が、図１に表されるものから、図３に示されるアイコン３０２の線が引かれた背景によって示されるように、もう１つの属性に変えられた。しかしながら、同じウィンドウ３１１における他の要素３０３の表示属性は、図１に示されるように以前のものと同じままである。
【００２３】
図４のステップ４１１に進むと、その特定された要素の表示属性がそれ自身のウィンドウ又はアプリケーションにおいてユニークであるとされたならば、その画像要素の表示属性がまた、表示画面の残りにおける別のウィンドウ又はアプリケーションにおいても、ユニークであるかどうかを判別するために決定がなされる。ステップ４１３において、ステップ４１１での決定が否定的であるならば、その画像要素を目立つものにする以前に記述された典型的な別の選択の内の１つが、同じ表示画面上において他の全てのウィンドウに対して、拡張されて適用されるであろう。
【００２４】
即ち、例えば、ステップ４１３において示される第１の別の選択を用いて、その特定の画像要素のものと同じ表示属性を持つであろう表示画面２００の異なるウィンドウにおける他の要素の表示属性は、別の表示属性を持つように変えられるであろう。例えば、図２は、ここで、ウィンドウ２１２における要素２０４及び２０８、ウィンドウ２１３における要素２０５、ウィンドウ２１４における要素２０６、そして同じ表示画面２００上の要素２０７が、ホワイトの暗くされないバックグランドを持つことにより示されるような別の表示属性を持つように変えられている。従って、「小さなアイコン」２０２は、本発明に従って、表示画面２００全体において目立つようにされる。
【００２５】
ステップ４１３において示されるようなもう１つの別の選択において、もし、表示される画像がある特定のタイプであるならば、その他のウィンドウにおけるその他の要素への変更は、一時停止されるであろう。そして、その結果は、図１において表示されるようなものと同じになるであろう。
【００２６】
ステップ４１３における更にもう１つの他の選択において、異なるウィンドウにおけるその他の要素の属性を変更させないままにして、その特定された画像要素の表示属性自身は、変更させられる。この結果は、その他の要素の表示属性は同じままである一方、アイコン３０２が異なる表示属性を今や持っていることを表す図３において図解される（線を引かれた背景を持つように示されている）。その結果は、図３に示されるように、種々の他のハイライトされた要素の内のアイコン３０２をユーザが容易に認識することを認可する。
【００２７】
種々の画像要素に対する関係のある表示属性の全てが、図４のこれまで述べられたステップに従って処理されてきたならば、それらは、目立つように特定された画像要素と共に表示のための準備が整っているであろう。その特定された画像要素は、また、ステップ４１５において、ユーザの選択に応答するように機能が有効化されている。
【００２８】
図５は、本発明の教示に従って、グラフィカル表示を発生させる典型的なシステムを描写する。システム５０は、一般目的のコンピュータ又は特別に構成されたコンピュータを含んでよい。一般目的の又は特別に構成されたコンピュータは、ここに教示されることに従って、プログラム又は複数のプログラムと共に使用されてよい。一般目的のコンピュータの例は、ＩＢＭ互換パソコンで、マイクロソフトウィンドウズ（登録商標）が機能するものであってよい。特別に構成されたコンピュータの例は、種々の医療分野において使用される患者モニタシステムであってよい。
【００２９】
本発明の表示プロセスは、例として図解されるように、図４において、図５に示される典型的なシステムを使用して実施されてよい。システム５０は、システム５０の他の構成要素へ及びから適当な形で情報を通信するために使用される入出力（Ｉ／Ｏ）部５１を含む。加えて、システム５０は、Ｉ／Ｏ部５１と接続された中央演算装置（ＣＰＵ）５２と、実行されるコンピュータプログラムや他の情報を記憶するＲＡＭ及び／又はＲＯＭのようなメモリ５３を含む。実行されるかもしれないコンピュータプログラムの例は、本発明の図４において図解されるプロセスである。
【００３０】
システム５０は、例えばＣＲＴモニタや液晶ディスプレイ（ＬＣＤ）又はその他のようなディスプレイ６０を含む。それは、更に、例えば、マウス、トラックボール、ジョイスティック、又はディスプレイ６０の表示画面６２上にカーソル５９を選択的に位置決めするためのその他のもののような、カーソルコントロール５４を含む。典型的に、カーソルコントロール５４は、そのカーソルコントロール５４によって合焦又は機能の有効化がされたある特定のコマンドをコンピュータが実行するような信号を発生させるために、コンピュータシステムのユーザが、使用するであろうスイッチ５５のような信号発生手段を含む。システム５０はまた、この分野においてよく知られるように、ユーザからのデータやコマンドを入力するためのキーボード５６を含む。
【００３１】
また、図５に、コンピュータ５０に対する追加の記憶能力を提供するために、Ｉ／Ｏ回路５１に接続された、ハードディスクのような、大量記憶装置５８が示されている。加えて、ＣＤ／ＤＶＤ  ＲＯＭ５７が更に、追加の記憶能力のためのＩ／Ｏ回路５０又はもう１つのＩ／Ｏ装置として、接続されている。追加の装置（図示せず）が、この分野でよく知られているように、種々の目的のためにコンピュータ５０に接続されるであろうことは、理解されるであろう。
【００３２】
図５に図解するように、ディスプレイ６０は、ウィンドウ６３が表示される表示画面６２を含む。例えば、図３の画面３００又は図２の表示画面２００のように、表示画面６２の例が示されている。例えば、図２のウィンドウ２１１又は図３のウィンドウ３１１のように、ウィンドウ６３の例が示されている。
【００３３】
医療の患者モニタシステムのような埋め込み型の又は占有されるシステムに関し、本発明を実施する典型的な１つの方法は、同じシステムのためにプログラムを書く全てのプログラマーによって合意され従われるプログラム基準を持つことである。インポートされたアプリケーションは、この基準に合致するように修正される必要があるであろう。かなりの量の検証が、全てのソフトウェアがユニークなハイライト基準に従うことを確実にするために必要とされるため、プログラム的に実行される方法は、この開発環境下でより多くの利益を提供するかもしれない。
【００３４】
非埋め込み型又は非占有型のシステムに関し、ユニークな入力合焦要素は、オペレーティングシステムレベルで最も効率的に実行されるかもしれない。この実行は、ユーザインターフェース外観及び行動要素に対して容易に行われるかもしれない、何故なら、それらはオペレーティングシステムを通して決定されるからである。
【００３５】
ここに示され記述された実施例やバリエーションは、解説のためだけであり、種々の変更が、本発明の範囲から離れることなく、当業者によって実行されるかもしれないことは理解されるべきである。
【図面の簡単な説明】
【００３６】
【図１】図１は、コンピュータシステムに対する従来のユーザインターフェースを図解する。
【図２】図２は，本発明の原理に従って、典型的なユーザインターフェースグラフィカル表示を図解する。
【図３】図３は、本発明の原理に従って、もう１つの典型的なユーザインターフェースグラフィカル表示を図解する。
【図４】図４は、本発明の原理に従って、典型的なプロセスを図解する。
【図５】図５は、本発明を実施することができる典型的なシステムを図解する。
【図１】
2005520228.tif 000003
【図２】
2005520228.tif 000004
【図３】
2005520228.tif 000005
【図４】
2005520228.tif 000006
【図５】
2005520228.tif 000007
【国際調査報告】
2005520228.tif 000008
2005520228.tif 000009
2005520228.tif 000010